(57)【特許請求の範囲】
【請求項１】
情報を入出力する入出力部と、
商品に固有に割り当てられる商品コードごとに商品名及び単価を格納する商品ファイルと、
商品を読み取る読取部と、
現金を入出金する入出金装置と、
硬貨を投入するための硬貨投入孔、前記硬貨投入孔に連結して設けられ、前記硬貨を前記入出金装置に搬送する硬貨搬送路、及び前記硬貨搬送路の前記硬貨投入孔側端部に設けられるシャッタを備え、前記入出金装置を覆うカバーと、
前記カバーの開閉を検知する開閉センサと、
前記開閉センサの出力に基づいて前記カバーが開けられたと判定した場合、前記シャッタを閉じる制御部と、
を備える商品販売データ登録処理装置。
【請求項２】
前記制御部は、
前記開閉センサの出力に基づいて前記カバーが再び閉じられたと判定した場合、前記シャッタを開ける請求項１記載の商品販売データ登録処理装置。
【請求項３】
前記制御部は、
前記開閉センサの出力に基づいて前記カバーが開けられたと判定した場合、前記入出金装置を操作できない状態に遷移させる請求項１記載の商品販売データ登録処理装置。
【請求項４】
前記制御部は、
前記開閉センサの出力に基づいて前記カバーが再び閉じられたと判定した場合、前記入出金装置を操作できる状態に遷移させる請求項３記載の商品販売データ登録処理装置。
【請求項５】
情報を入出力する入出力部と、
商品に固有に割り当てられる商品コードごとに商品名及び単価を格納する商品ファイルと、
商品を読み取る読取部と、
現金を入出金する入出金装置と、
硬貨を投入するための硬貨投入孔、前記硬貨投入孔に連結して設けられ、前記硬貨を前記入出金装置に搬送する硬貨搬送路、及び前記硬貨搬送路の前記硬貨投入孔側端部に設けられるシャッタを備え、前記入出金装置を覆うカバーと、
前記カバーの開閉を検知する開閉センサと、
を備える商品販売データ登録処理装置を、
前記開閉センサの出力に基づいて前記カバーが開けられたと判定した場合、前記シャッタを閉じるシャッタ閉動作手段として機能させるための商品販売データ登録処理プログラム。
【請求項６】
前記商品販売データ登録処理装置を、
前記開閉センサの出力に基づいて前記カバーが開けられたと判定した場合、前記入出金装置を操作できない状態に遷移させる動作抑止手段としてさらに機能させるための請求項５記載の商品販売データ登録処理プログラム。
【発明の詳細な説明】
【技術分野】
【０００１】
本発明の実施形態は、商品販売データ登録処理装置及び商品販売データ登録処理プログラムに関する。
【背景技術】
【０００２】
近年、顧客自身が会計処理を行ういわゆるセルフ型ＰＯＳ（Ｐｏｉｎｔ  ｏｆ  ｓａｌｅｓ）端末などの商品販売データ登録処理装置が普及しつつある。
【０００３】
このセルフ型ＰＯＳ端末は、情報を入出力する入出力部と、商品を読み取る読取部と、購入した商品全体の重さ及び清算した商品全体の重さを計量する計量部と、金銭を入出金する入手金部と、を備える。
【０００４】
特に入出金部は、第三者が入出金部の内部の金銭を容易に持ち出さないように施錠されるだけでなく、入出金部全体がカバーによって覆われている。
【０００５】
このカバーは、入出金部に硬貨を投入する硬貨投入孔を備えており、また開錠することにより回動して入出金部を露出させる。
【０００６】
従来の商品販売データ登録処理装置は、硬貨投入孔から入出金部に至る硬貨搬送路に不良硬貨等の遺物が詰まり、続けて通常の硬貨が投入されて硬貨搬送路に硬貨がある状態において、異物を除去するためにカバーを回動させて開けると、硬貨搬送路にある通常の硬貨が硬貨搬送路からこぼれ落ちてしまっていた。
【０００７】
さらに、カバーが何らかの方法により開けられると、入出金部が露出されているため、容易に内部の金銭を取り出す操作を行うことができた。
【先行技術文献】
【特許文献】
【０００８】
【特許文献１】特開２００８−１０８０４１号公報
【発明の概要】
【発明が解決しようとする課題】
【０００９】
従って、入出金部を覆うカバーを開けても硬貨搬送路内部の硬貨がこぼれ落ちず、入出金部から容易に内部の金銭を取り出す操作ができない商品販売データ登録処理装置及び商品販売データ登録処理プログラムが求められている。
【課題を解決するための手段】
【００１０】
上記の課題を解決するために、本発明の一実施形態は、情報を入出力する入出力部と、商品に固有に割り当てられる商品コードごとに商品名及び単価を格納する商品ファイルと、商品を読み取る読取部と、現金を入出金する入出金装置と、硬貨を投入するための硬貨投入孔、硬貨投入孔に連結して設けられ、硬貨を入出金装置に搬送する硬貨搬送路、及び硬貨搬送路の硬貨投入孔側端部に設けられるシャッタを備え、入出金部を覆うカバーと、カバーの開閉を検知する開閉センサと、開閉センサの出力に基づいて前記カバーが開けられたと判定した場合、シャッタを閉じる制御部と、を備える商品販売データ登録処理装置を提供する。
【図面の簡単な説明】
【００１１】
【図１】商品販売データ登録処理装置の外観斜視図である。
【図２】商品販売データ登録処理装置の構成を示すブロック図である。
【図３】カバーが開けられた状態を示す図である。
【図４】カバーを模式的にあらわした側面図である。
【図５】カバーが開けられた状態を示す図である。
【図６】シャッタの構成を示す側面図である。
【図７】商品販売データ登録処理装置の動作を示すフローチャートである。
【発明を実施するための形態】
【００１２】
以下、商品販売データ登録処理装置及び商品販売データ登録処理プログラムの一実施形態について、図面を用いて詳細に説明する。
【００１３】
本実施形態の商品販売データ登録処理装置は、情報を入出力する入出力部と、商品に固有に割り当てられる商品コードごとに商品名及び単価を格納する商品ファイルと、商品を読み取る読取部と、現金を入出金する入出金装置と、硬貨を投入するための硬貨投入孔、硬貨投入孔に連結して設けられ、硬貨を入出金装置に搬送する硬貨搬送路、及び硬貨搬送路の硬貨投入孔側端部に設けられるシャッタを備え、入出金部を覆うカバーと、カバーの開閉を検知する開閉センサと、開閉センサの出力に基づいて前記カバーが開けられたと判定した場合、シャッタを閉じる制御部と、を備える。
【００１４】
図１は、商品販売データ登録処理装置（以下、登録処理装置という。）１の外観斜視図である。図１に示すように、登録処理装置１は、情報を入出力する入出力部１０２と、レシートを発行するプリンタ１０４と、商品を読み込む読取部１０５と、現金を入出金する入出金装置１０７と、登録前の商品の重量を計量する第１の計量部１０６Ａと、登録後の商品の重量を計量する第２の計量部１０６Ｂと、を備える。以下、第１の計量部１０６Ａ及び第２の計量部１０６Ｂを計量部１０６という。
【００１５】
顧客は購入する商品を第１の計量部１０６Ａに載置する。登録処理装置１は第１の計量部１０６Ａによって登録前の商品の総重量を計量する。
【００１６】
顧客は商品を読取部１０５によって読取らせ、登録処理装置１に商品を登録させる。顧客は登録が終了した商品を第２の計量部１０６Ｂに載置する。
【００１７】
登録処理装置１は、第１の計量部１０６Ａによって計量した重量と、第２の計量部１０６Ｂによって計量した重量が等しい場合、全商品の登録が終了したと判定する。
【００１８】
登録処理装置１は入出力部１０２の小計ボタンが押下されたと判定した場合、小計を計算する。
【００１９】
顧客は入出金装置１０７に現金を投入し、入出力部１０２の現計ボタンを押下することにより、つり銭の計算と出金が行われ、一取引が完了する。
【００２０】
登録処理装置１はさらに、硬貨を入出金装置１０７に投入する硬貨投入孔１１１Ａを備え、入出金装置１０７を覆うカバー１１１を備える。カバー１１１は、開錠されると回動中心１１１Ｂを中心に前方から後方に回動して入出金装置１０７を露出させる。
【００２１】
図２は、登録処理装置１の構成を示すブロック図である。図２に示すように、登録処理装置１は、端末部１０と、読取部１０５と、計量部１０６と、入出金装置１０７と、カバー１１１の開閉を検知する開閉センサ１０８と、を備える。
【００２２】
開閉センサ１０８は、例えば光センサやアクチュエータを備えるマイクロスイッチを含み、カバーが開けられたことを検知すると「開」信号を、閉じられたことを検知すると「閉」信号を制御部１１に出力する。
【００２３】
端末部１０は、入出金装置１０７と、読取部１０５と、ストアコントローラである管理装置２と、に接続する。
【００２４】
端末部１０は、演算装置であるＣＰＵ（ｃｅｎｔｒａｌ  ｐｒｏｃｅｓｓｉｎｇ  ｕｎｉｔ）を含む制御部１１と、入出力部１０２と、通信を行う通信部１３と、レシートを発行するプリンタ１０４と、メモリ、ハードディスクドライブなどの記憶装置を含む記憶部１４と、を備える。
【００２５】
記憶部１４は、商品に固有に割り当てられる商品コードごとに商品名、価格、商品画像を格納する商品ファイル１４Ａと、一取引の内容を格納するトランザクションファイル１４Ｂと、を備える。
【００２６】
記憶部１４はさらに、商品販売データ登録処理プログラムを格納し、制御部１１はこの商品販売データ登録処理プログラムを読み出して順次実行する。
【００２７】
読取部１０５は、演算装置であるＣＰＵを含む読取部制御部１０５Ａと、メモリなどの記憶装置を含む読取部記憶部１０５Ｂと、通信を行う読取部通信部１０５Ｄと、撮像部１０５Ｅと、を備える。
【００２８】
管理装置２は、店舗ごとに１台設置される。管理装置２は、商品に固有に割り当てられる商品コードごとに商品名、価格、商品画像を格納する商品マスタを備え、端末部１０の商品ファイル１４Ａに存在しない商品コードに係る単価、品名などの商品情報を端末部１０の要求に応じて端末部１０に送信する。
【００２９】
また、管理装置２は、単価の変更の指示を各登録処理装置１に送信することにより、商品の単価を一斉に変更することが可能である。
【００３０】
図３は、カバー１１１が開けられた状態を示す図である。図３に示すように、カバー１１１は使用時には施錠されているが、開錠されると回動中心１１１Ｂを中心に矢印Ｘ１に示す方向に回動して入出金装置１０７を露出させる。
【００３１】
この際、硬貨投入孔１１１Ａは水平状態から９０°以上回動する。
【００３２】
図４は、カバー１１１を模式的にあらわした側面図である。図４に示すように、カバー１１１は、硬貨投入孔１１１Ａと、硬貨投入孔１１１Ａに連結して設けられ、硬貨投入孔１１１Ａから入出金装置１０７にいたる硬貨搬送路１１３と、硬貨搬送路１１３の硬貨投入孔１１１Ａ側端部に設けられ、閉じることにより硬貨搬送路１１３を塞ぐシャッタ１１４と、を備える。
【００３３】
また、登録処理装置１はカバー１１１の開閉を検知する開閉センサ１０８を備える。カバー１１１が閉じられている場合、開閉センサ１０８は「閉」信号を制御部１１に出力する。また、カバー１１１が開けられると開閉センサ１０８は「開」信号を制御部１１に出力する。
【００３４】
シャッタ１１４は、通常の使用状態においては開いている。従って、顧客が硬貨を硬貨投入孔１１１Ａから投入すると、硬貨は硬貨搬送路１１３を伝わって入出金装置１０７に投入される。
【００３５】
ここで、不良硬貨などの異物１２１が詰まると、続いて投入された硬貨は硬貨搬送路１１３にたまってしまう。
【００３６】
図５は、カバー１１１が開けられた状態を示す図である。図５に示すように、制御部１１は、カバー１１１が開けられて開閉センサ１０８から「開」信号を受信すると、シャッタ１１４を閉じる。
【００３７】
この状態において、カバー１１１を回動させても硬貨搬送路１１３の中にたまった硬貨はシャッタ１１４が閉じられているため、こぼれ落ちることはない。
【００３８】
そして、制御部１１は開閉センサ１０８から再び「閉」信号を受信するとシャッタ１１４を開く。
【００３９】
図６は、シャッタ１１４の構成を示す側面図である。図６に示すように、シャッタ１１４は、閉じると硬貨搬送路１１３を閉じるように硬貨搬送路１１３の硬貨投入孔１１１Ａ側の端部に設けられる。
【００４０】
シャッタ１１４は、シャッタ１１４を駆動するソレノイドなどのシャッタ駆動部１１４Ａを備える。
【００４１】
シャッタ駆動部１１４Ａは、制御部１１からの制御信号に基づいてシャッタ１１４の開閉動作を行う。
【００４２】
図７は、登録処理装置１の動作を示すフローチャートである。図７に示すように、ステップ７０１において、登録処理装置１は開閉センサ１０８の出力が「閉」であるかを判定する。登録処理装置１は開閉センサ１０８の出力が「閉」であると判定した場合、ステップ７０１に戻り、「閉」でないと判定した場合、ステップ７０２に進む。
【００４３】
ステップ７０２において、登録処理装置１はシャッタ１１４を閉じる。
【００４４】
ステップ７０３において、登録処理装置１は入出金装置１０７を操作不可能にする。具体的には、登録処理装置１は入出金装置１０７に操作を受け付けない状態にするコマンドを送信する。
【００４５】
入出金装置１０７は、このコマンドを受信すると、次にこのコマンドの解除コマンドを受信するまで、待機状態になる。従って、第三者は容易に入出金装置１０７から内部の現金を取り出すことができなくなる。
【００４６】
なお、登録処理装置１は、開閉センサ１０８の出力が再び「閉」信号になった場合、シャッタ１１４を開け、入出金装置１０７を動作状態に戻す。
【００４７】
具体的には、開閉センサ１０８の出力が再び「閉」信号になった場合、制御部１１は入出金装置１０７に動作状態に遷移するためのコマンドを送信する。
【００４８】
従って、カバー１１１を閉じれば、通常の決済業務を再開することが可能となる。
【００４９】
以上述べたように、本実施形態の登録処理装置１は、情報を入出力する入出力部１０２と、商品に固有に割り当てられる商品コードごとに商品名、単価、及び商品の画像を格納する商品ファイル１４Ａと、商品を読み取る読取部１０５と、現金を入出金する入出金装置１０７と、硬貨を投入するための硬貨投入孔１１１Ａ、硬貨投入孔１１１Ａに連結して設けられ、硬貨を搬送するための硬貨搬送路１１３、及び硬貨搬送路１１３の硬貨投入孔１１１Ａ側端部に設けられるシャッタ１１４を備え、入出金装置１０７を覆うカバー１１１と、カバー１１１の開閉を検知する開閉センサ１０８と、開閉センサ１０８の出力に基づいてカバー１１１が開けられたと判定した場合、シャッタ１１４を閉じる制御部と、を備える。
【００５０】
従って、入出金部を覆うカバーを開けても硬貨搬送路内部の硬貨がこぼれ落ちず、入出金部から容易に内部の金銭を取り出す操作ができないという効果がある。
【００５１】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１：登録処理装置
２：管理装置
１４Ａ：商品マスタ
１４Ｂ：トランザクションファイル
１０５：読取部
１０８：開閉センサ
１１１：カバー
１１１Ａ：硬貨投入孔
１１３：硬貨搬送路
１１４：シャッタ
【図１】
0006046650.tif 000002
【図２】
0006046650.tif 000003
【図３】
0006046650.tif 000004
【図４】
0006046650.tif 000005
【図５】
0006046650.tif 000006
【図６】
0006046650.tif 000007
【図７】
0006046650.tif 000008